(57)【要約】【課題】被固定物の縁部に対して固定する操作が非常に簡単便利で迅速に行える固定具を提供する。【解決手段】下方に切込部１３が設けられている本体７の上中下の各段に部材を突設させ中断部材１０と下段部材９に挿通孔１１，１２が設けられて成るフレーム２、外周部に雄ネジ２７が刻設され前記中断部材１０と下段部材９の挿通孔１１，１２を通して設置される押圧ネジ棒４、前記本体７の切込部１３に設置され該本体７に回転自在に設置されて成る停止部材５、及び本体７と停止部材１３との間に介装されている押圧バネ６で固定具１を構成する。　そして、停止部材１３の操作部材２１を押圧し、該部材１３と押圧ネジ棒４の螺合を適宜解除することにより、迅速に該ネジ棒４を目的とする場所まで移動させることができる。【選択図】図１
2004060881.tif 000002
【特許請求の範囲】
【請求項１】
下方に切込部が設けられている本体の上中下の各段に部材を突設させ中断部材と下段部材に挿通孔が設けられて成るフレーム、外周部に雄ネジが刻設され前記中断部材と下段部材の挿通孔を通して設置される押圧ネジ棒、及び前記本体の切込部に設置され該本体に回転自在に設置されて成る停止部材より構成されることを特徴とする固定具。
【請求項２】
下方に切込部が設けられている本体の上中下の各段に部材を突設させ中断部材と下段部材に挿通孔が設けられて成るフレーム、外周部に雄ネジが刻設され前記中断部材と下段部材の挿通孔を通して設置される押圧ネジ棒、前記本体の切込部に設置され該本体に回転自在に設置されて成る停止部材、及び本体と停止部材との間に介装されている押圧バネより構成されることを特徴とする固定具
【発明の詳細な説明】
【０００１】
【発明の属する技術分野】
本発明は、被固定物の縁部に固定する操作が非常に簡単便利で迅速に行える固定具に関する。
【０００２】
【従来の技術】
図８に示すように、支持部３０から横方向に突出させた上腕部３１には、その下面にゴムバッド３２（固定口金という）が固着され、また支持部３０から横方向に突出させた下腕部３３に設けた雌ネジ部３４には、上記ゴムパッド３２に対して進退する棒ネジ３５が螺合されている。この棒ネジ３５の下端にはハンドル３６が固着され、上端には締着板３７（可動口金という）が回動自在に設けられている。このような状態で、固定口金３２と可動口金３７の間に取付枠の縁部をはさんでハンドル３６を締め付け方向に回動することにより固定台が固定状態に取り付けられる構造となっているものが知られている（特開平８−１６４０２２参照）。
なお、支持部３０の上下方向には柄を挿通するための貫通孔３８が穿設され、この貫通孔３８に柄３９が挿通され、該支持部３０の側壁に形成されたネジ孔に止めネジを螺合し、固着することによって柄を所定の高さに固定するようにしてある。
【０００３】
そして、図９に示すように、支持部５０から横方向に突出させた上腕部５１には、その下面に固定口金５７が設けられ、また支持部５０から横方向に突出させた下腕部５２に設けた雌ネジ部５３には、上記固定口金５７に対して進退する棒ネジ５４が螺合されている。この棒ネジ５４の下端にはハンドル５５が固着され、上端には可動口金５６が回動自在に設けられている。このような状態で、固定口金５７と可動口金５６の間に取付枠の縁部をはさんでハンドル５５を締め付け方向に回動することにより固定台が固定状態に取り付けられる構造となっているものが知られている（実開平６−１７６２３参照）。
なお、支持部５０の上下方向には柄５８を挿通するための貫通孔５９が穿設され、この貫通孔５９に柄が挿通され、該支持部５０の側壁に形成されたネジ孔に止めネジ６０を螺合し、固着することによって柄を所定の高さに固定するようにしてある。
【０００４】
また、図１０に示すように、支持部８０から下方向に突出させた左腕部８１には、その右側面に固定口金８２が設けられ、また支持部８０から下方向に突出させた右腕部８３に設けた雌ネジ部８４には、上記固定口金８２に対して進退する棒ネジ８５が螺合されている。この棒ネジ８５の先端（左端）にはスパイク８６（可動口金）が回動自在に設けられ、後端にはハンドル８７が固着されている。このような状態で、固定口金８２と可動口金８６の間に取付枠の縁部をはさんでハンドル８７を締め付け方向に回動することにより取付枠の縁部に固定台が固定状態に取り付けられる構造となっているものが知られている（特開２０００−２３７２１参照）。
【０００５】
しかしながら、これらの固定口金と、ネジ作用で開閉する可動口金との間に取付枠の縁部をはさんで固定する方法は、取付枠の縁部の厚さに比べて、固定口金に対する可動口金の間隔が非常に大である場合は、可動口金の移動操作が非常に面倒となる大きな欠点を有している。
【０００６】
【発明が解決しようとする課題】
本発明は、取付枠の縁部に対して固定する操作が非常に簡単便利で迅速に行える固定具を提供することを目的とする。
【０００７】
【課題を解決するための手段】
本発明によれば、この目的は、下方に切込部が設けられている本体の上中下の各段に部材を突設させ中断部材と下段部材に挿通孔が設けられて成るフレーム、外周部に雄ネジが刻設され前記中断部材と下段部材の挿通孔を通して設置される押圧ネジ棒、及び前記本体の切込部に設置され該本体に回転自在に設置されて成る停止部材により固定具を構成することにより、また、下方に切込部が設けられている本体の上中下の各段に部材を突設させ中断部材と下段部材に挿通孔が設けられて成るフレーム、外周部に雄ネジが刻設され前記中断部材と下段部材の挿通孔を通して設置される押圧ネジ棒、前記本体の切込部に設置され該本体に回転自在に設置されて成る停止部材、及び本体と停止部材との間に介装されている押圧バネにより固定具を構成することにより実現される。
【０００８】
【発明の実施の形態】
以下本発明を添付の図面に基づいてより詳細に説明する。
図１において、本願発明の固定具１は、略Ｅ字状をしたフレーム２、該フレーム２に挿通設置され机あるいは台等の被固定物３を押圧する押圧ネジ４、前記フレーム２に回転自在に装着され該ネジ棒４と螺合しそれをある一定の位置で止める停止部材５、及び該停止部材５を前記押圧ネジ棒４に付勢させる押圧バネ６より構成されている。
フレーム２の形状は、図４，５に示すように平板状をした本体７の上端部に同様に平板状をした上段部材８、下端部に下段部材９が突設されている。また、フレーム２において、１０は中段部下方に設けられ前記同様平板状をした中段部材で、前記下段部材９とこの中段部材１０には、前記押圧ネジ４を挿通するための挿通孔１１，１２が同軸で設けられている。
またさらに、フレーム２において、中段部材１０の少し下の本体７Ａ部の側部（図５において左側）の一部が切り取られ、切込部１３が形成される。そして、切込部１３の垂直壁１５と本体７の図５における右側面１６の間には、貫通孔１７が開けられている。さらに、前述のように切取られた切込部１３における下段部材９の本体７側の垂直壁１８には、前記押圧バネ６を収納するためのくり抜き孔１９が穿設されている。
【０００９】
次に、図６，７をもとに停止部材５を説明する。停止部材５は、略逆Ｌ字状をしており、上部の突設部材２０と平板状をした操作部材２１より構成され、それら部材２０，２１の交叉部２２はボス部を形成し、そこには貫通孔２３が開けられている。また、操作部材２１の基端部すなわちボス部近辺における突設部材２０側には、前記押圧バネ６を収納するためのくり抜き孔２４が穿設されている。一方、突設部材２０の先端部２４は、前記押圧ネジ棒４と螺合する雌ネジ２６が形成されている。
そして、図１において押圧ネジ棒４は、雄ネジ２７が設けられた丸棒２８、ゴムあるいはプラスチック等で形成され被固定物３を傷つけないために上端部に回転自在に設けられたフィックス部材２９、及び下方に設けられた握り部材４０より構成されている。
【００１０】
以上説明した上記各部材により本願発明に係る固定具１を形成するには、まず図１に示すように、押圧ネジ棒４を、中下段部材１０，９の挿通孔１１，１２を通してフレーム２に装着する。次に、図２，３に示すように停止部材５をフレーム２の切込部１３に位置させ、本体７に設けられた貫通孔１７と停止部材５に設けられた貫通孔２２を同軸にさせ、ピン２８をそこに挿通させてフレーム２に停止部材５を回転自在に設置する。
そして次に、下段部材９のくり抜き孔１９と停止部材５のくり抜き孔２４に押圧バネ６を介装させ、停止部材５の雌ネジ２６と押圧ネジ棒４の雄ネジ２７が常に螺合するようにする。
このとき、突設部材２０の下面３１と下段部材９の上面３２が当設し、停止部材５のそれ以上の回転をさせない構成となっており、押圧ネジ棒４の押圧力を受け止める作用をする。この螺合を解除するには、停止部材５の操作部材２１を押して解除する。このとき停止部材５は、図１において左回転をする。
【００１１】
【作用】
本願発明の固定具１を被固定物３に固定するには、まず停止部材５の操作部材２１を操作し、該部材５と押圧ネジ棒４との螺合を解き、次に押圧ネジ棒４をフレーム２の挿通孔１１，１２の中を押し上げて、目的とする位置まで持ち上げ操作部材２１の押圧を解除することにより、停止部材５の雌ネジ２６と押圧ネジ棒４の雄ネジ２７を螺合させる。そして次に、押圧ネジ棒４の握り部材４０を回転し、該ネジ棒４を上動させ、固定具１を被固定物３に固定させることができる。
【００１２】
そして、本体７に種々のアタッチメントを付けて、電気スタンドの固定具等に利用する。また、本願発明は、固定具１を机あるいは工作台等に固定し、上段部材８と押圧ネジ棒４で工作物を挟むことにより、万力としても利用できる。
【００１３】
【発明の効果】
被固定物の縁部に対して固定する操作が非常に簡単便利で迅速に行える固定具を得ることができる。
【図面の簡単な説明】
【図１】本発明の固定具の正面図
【図２】図１の左側面図
【図３】図１の右側面図
【図４】フレームの正面図
【図５】図４の右側面図。
【図６】停止部材の正面図
【図７】図６の左側面図
【図８】、
【図９】、
【図１０】従来の装置を示す図
【符号の説明】
１　固定具
２　フレーム
３　被固定物
４　押圧ネジ棒
５　停止部材
６　押圧バネ
７　本体
８　上段部材
９　下段部材
１０　中断部材
１１　挿通孔
１２　挿通孔
１３　切込部
１７　貫通孔
１９　くり抜き孔
２０　突設部材
２２　ボス部
２３　貫通孔
２４　くり抜き孔
２８　丸棒
２９　フィックス部材
４０　握り部材
【図１】
2004060881.tif 000003
【図２】
2004060881.tif 000004
【図３】
2004060881.tif 000005
【図４】
2004060881.tif 000006
【図５】
2004060881.tif 000007
【図６】
2004060881.tif 000008
【図７】
2004060881.tif 000009
【図８】
2004060881.tif 000010
【図９】
2004060881.tif 000011
【図１０】
2004060881.tif 000012